(57)【要約】【課題】被介護者等に発生する異常事態を監視し、異常事態が発生したと判断されたときには自動的に所定の通報先に緊急通報を行う。【解決手段】介護用端末１００は、マイク１０１から得られる音声を監視し、また、血圧センサ１０２により被介護者等の血圧を監視し、異常音声の検知時や異常血圧の検知時に、他の端末１６０や緊急対応組織１８０等の予め定めた通報先に緊急通報を行う。この通報はサーバ１５０を介して行うこともできる。サーバ１５０からは更に他の通報先に通報を行うことができる。【選択図】図１
2006141679.tif 000002
【特許請求の範囲】
【請求項１】
被介護者等に関する緊急通報を行う介護用端末であって、
音声を認識する音声認識手段と、
認識された音声に基づいて異常の発生を検知する異常検知手段と、
異常の発生が検知されたとき所定の通報先に当該異常が発生した旨、および被介護者等の位置情報を通信ネットワークを介して通報する通報手段と
を備えたことを特徴とする介護用端末。
【請求項２】
前記異常検知手段は、前記音声認識手段が、予め定めたキーワードを検知したとき、または、所定の音量レベルを超える音を検出したとき、異常事態が発生したと判定することを特徴とする請求項１記載の介護用端末。
【請求項３】
被介護者等の血圧を測定する血圧測定手段を備え、
前記異常検知手段は、血圧測定に基づいて血圧異常を検知することを特徴とする請求項１記載の介護用端末。
【請求項４】
前記異常検知手段は、血圧測定時に血圧が正常範囲内にない場合に血圧測定を繰り返して実行し、予め定めた所定回数連続して血圧が正常範囲内にない場合に、血圧異常と判断する請求項３記載の介護用端末。
【請求項５】
前記異常検知手段は、一旦血圧が正常範囲内にないことを検知した後、前記予め定めた所定回数以内に血圧が正常範囲内に戻ったとき、少なくとも次回の血圧測定のタイミングを早めることを特徴とする請求項４記載介護用端末。
【請求項６】
前記緊急通報は電話による自動音声メッセージ、ＤＴＭＦ信号、電子メール、ショートメッセージの少なくとも一つにより行うことを特徴とする請求項１記載の介護用端末。
【請求項７】
前記異常の発生を通報する前に、異常の発生を通報する動作モードに入ったことを視覚的および／または聴覚的に被介護者等に知らしめる手段と、
前記動作モードを解除する手段とを備え、
前記通報手段は前記動作モードが所定の時間内に解除されなかったとき、当該通報を行うことを特徴とする請求項１記載の介護用端末。
【請求項８】
位置情報を検知する位置情報検知手段を備えたことを特徴とする請求項１記載の介護用端末。
【請求項９】
画像を撮影する撮影手段と、撮影された画像を通信ネットワークを介して送信する手段を備えたことを特徴とする請求項１記載の介護用端末。
【請求項１０】
被介護者等に関する緊急通報を行う介護用端末と、通信ネットワークを介してこの介護用端末に接続されたサーバとを備えた介護用通報システムであって、
前記介護用端末は、
音声を認識する音声認識手段と、
認識された音声に基づいて異常の発生を検知する異常検知手段と、
異常の発生が検知されたとき当該異常が発生した旨、および被介護者等の位置情報を通信ネットワークを介して前記サーバに通報する通報手段とを備え、
前記サーバは、指定された通報先に対して、当該異常が発生した旨、および被介護者等の位置情報を通信ネットワークを介して通報する通報手段を備えた
ことを特徴とする介護用通報システム。
【発明の詳細な説明】
【技術分野】
【０００１】
本発明は、高齢者や介護を必要とする被介護者等、特に一人暮らしの老人等の体に発生した異常事態や周辺で発生した異常事態に対して、自動的にそのような異常を検知して通報を行うことができる介護用端末及び介護用通報システムに関するものである。
【背景技術】
【０００２】
我国はこれから「超高齢化社会」を迎え、高齢者の一人暮らしが急増することが予想される。そのため、介護に関する種々のサービスが検討されている。
【０００３】
例えば、室内に赤外線センサ等を置いて、被介護者がどの部屋にどのくらいの時間滞在したかを、一日一回、介護者へ電子メールで通報することで、生活リズムの崩れがないかどうかを確認するシステムや、電子メールの送受信機能を備え、ボタンをいくつか押すだけで外部と定型文メールでのコミュニケーションが取れるシステムなどが提案されている。
【０００４】
また、特許文献１は、要介護者からの通報によりきめ細かな生活支援サービスを提供するシステムを開示している。
【特許文献１】特開２００４−７０４６４号公報
【発明の開示】
【発明が解決しようとする課題】
【０００５】
しかしながら、要介護者に対して常時介護者が付き添っていることは困難であり、また、特別な介護が必要ない高齢者が一人で暮らしている場合もある。
【０００６】
このように一人で在宅しているような場合、自分自身で通報ができないような体に発生した異常事態や周辺の異常事態などの緊急事態が発生したときには、上記のいずれのシステムも役に立たない。
【０００７】
本発明はこのような背景においてなされたものであり、その目的は被介護者等に発生した異常事態を監視し、異常事態が発生したと判断されたときには自動的に所定の通報先に緊急通報を行うことができる介護用端末および介護用通報システムを提供することにある。
【課題を解決するための手段】
【０００８】
本発明による介護用端末は、被介護者等に関する緊急通報を行う介護用端末であって、音声を認識する音声認識手段と、認識された音声に基づいて異常の発生を検知する異常検知手段と、異常の発生が検知されたとき所定の通報先に当該異常が発生した旨、および被介護者等の位置情報を通信ネットワークを介して通報する通報手段とを備えたことを特徴とする。
【０００９】
例えば、前記異常検知手段は、前記音声認識手段が、予め定めたキーワードを検知したとき、または、所定の音量レベルを超える音を検出したとき、異常事態が発生したと判定する。このとき、前記通報手段は所定の通報先に緊急通報を行う。この緊急通報は、例えば、電話による自動音声メッセージ、ＤＴＭＦ信号、電子メール、ショートメッセージの少なくとも一つにより行うことができる。
【００１０】
被介護者等の血圧を測定する血圧測定手段をさらに備えてもよく、この場合、前記異常検知手段は、血圧測定に基づいて血圧異常を検知する。
【００１１】
前記異常検知手段は、血圧測定時に血圧が正常範囲内にない場合に血圧測定を繰り返して実行し、予め定めた所定回数連続して血圧が正常範囲内にない場合に、血圧異常と判断する。これにより、一時的な血圧の上昇等で直ちに異常と誤判定することを防止する。
【００１２】
前記異常検知手段は、一旦血圧が正常範囲内にないことを検知した後、前記予め定めた所定回数以内に血圧が正常範囲内に戻ったとき、少なくとも次回の血圧測定のタイミングを早めるようにしてもよい。これにより、血圧が一旦正常範囲外になったときには「異常」と判断されなくても、血圧測定の頻度を上げてきめ細かな監視を行うことができる。
【００１３】
前記異常の発生を通報する前に、異常の発生を通報する動作モードに入ったことを視覚的および／または聴覚的に被介護者等に知らしめる手段と、前記動作モードを解除する手段とを備え、前記動作モードが所定の時間内に解除されなかったとき、当該通報を行うようにしてもよい。これにより、誤動作等により当該動作モードに入った場合に、被介護者等がそれに気づき、かつ、自分で操作ができる場合には、当該所定の時間内に解除操作を行うことにより、緊急通報を停止させることができる。
【００１４】
本発明による介護用通報システムは、被介護者等に関する緊急通報を行う介護用端末と、通信ネットワークを介してこの介護用端末に接続されたサーバとを備えた介護用通報システムであって、前記介護用端末は、音声を認識する音声認識手段と、認識された音声に基づいて異常の発生を検知する異常検知手段と、異常の発生が検知されたとき当該異常が発生した旨、および被介護者等の位置情報を通信ネットワークを介して前記サーバに通報する通報手段とを備え、前記サーバは、指定された通報先に対して、当該異常が発生した旨、および被介護者等の位置情報を通信ネットワークを介して通報する通報手段を備えたことを特徴とする。
【００１５】
このシステムにより、介護用端末はサーバに通報するだけで、サーバから複数の通報先に通報を行うことができる。この場合、介護用端末がサポートしていない通報方法を利用した通報を行うこともできる。
【発明の効果】
【００１６】
本発明によれば、介護用端末が自動的に異常事態の発生を検知して緊急通報を行うので、被介護者等が異常事態の通報操作ができない場合にも対応可能となる。また、通報に人間の手を介さないことから、迅速かつ効率的な通報が行われることが期待される。
【発明を実施するための最良の形態】
【００１７】
以下、本発明の好適な実施の形態について図面を参照しながら詳細に説明する。
【００１８】
図１は、本発明における緊急通報システムの概略構成例を示す図である。
【００１９】
介護用端末１００は、被介護者等（必ずしも介護を要する者とは限らない）に携帯される端末装置、または、被介護者等の居住する部屋等に設置される端末装置である。介護用端末１００にはマイク１０１および血圧センサ１０２が有線または無線により接続される。
【００２０】
介護用端末１００は、通信ネットワーク１５５を介して、サーバ１５０、緊急対応組織１８０、携帯電話機や固定電話機を含む電話機１６０に接続される。
【００２１】
サーバ１５０は、本実施の形態の通報サービスをユーザに提供するサービスプロバイダに設置されたコンピュータ装置である。緊急対応組織１８０は、緊急事態に対応する組織であり、典型的には消防署、警察署（交番）等の公共の緊急通報先である。緊急対応組織１８０は、緊急通報を受け取ると、その通報メッセージにより緊急事態の発生およびその発生場所を認識し、被介護者のもとへ急行することができる。本実施の形態における緊急対応組織１８０には、固定電話機１８１およびＤＴＭＦ自動応答装置１８２等を有するものとする。ＤＴＭＦ自動応答装置１８２はＤＴＭＦ信号による通報を自動的に着信応答してそのＤＴＭＦ信号を解釈し、緊急対応組織１８０の担当者に表示や音声により通報メッセージを伝える機能を有する。但し、このＤＴＭＦ自動応答装置１８２は本発明において必須のものではない。また、介護用端末１００で必要なすべての通報先への通報を行う場合には、サーバ１５０は必要ない。
【００２２】
図２に、本発明における介護用端末の種々の形態を示す。図２（ａ）は携帯型の介護用端末１００ａを示しており、表示部２０４、操作部２０６、およびマイク１０１を有する。また、介護用端末１００ａは有線または無線により血圧センサ１０２と接続される。血圧センサ１０２は例えば腕時計型のような、被介護者等の体に常時装着しておける形態のものである。
【００２３】
図２（ｂ）は据え置き型の介護用端末１００ｂを示している。図ではデスクトップ型のパーソナルコンピュータ（ＰＣ）の形態として示しているが、ノート型ＰＣの形態であってもよい。介護用端末１００ｂにはマイク１０１が付属している。血圧センサ１０２は図２（ａ）の場合と同様、介護用端末１００ｂに有線または無線で接続される。被介護者等の移動範囲が限られる場合など、据え置き型介護用端末１００ｂの位置にマイク１０１を設置しておいてもよい。
【００２４】
図２（ｃ）は図２（ｂ）と同様の据え置き型の介護用端末１００ｃを示すが、マイク１０１が血圧センサ１０２に付属している点が図２（ｂ）の構成と異なる。このマイク１０１の付属した血圧センサ１０２は、図２（ａ）において採用することも可能である。
【００２５】
図３は、介護用端末１００の概略の内部構成を示すブロック図である。
【００２６】
介護用端末１００は、制御部２００、通信部２０２、表示部２０４、操作部２０６、メモリ２０８、ＲＴＣ（Real Time Clock）部２１０、スピーカ２３０、マイク１０１、ＧＰＳ(Global Positioning System)制御部２３４、血圧センサ無線Ｉ／Ｆ２４０を有し、これらが制御ライン２１０およびデータライン２２０で相互に接続されている。制御ライン２１０は、制御部２００からの制御データを伝送するラインである。データライン２２０は、データを伝送する際の伝送ラインである。
【００２７】
制御部２００は、中央処理装置（ＣＰＵ）などを有し、プログラム実行により介護用端末１００の各部を制御する。特に、本実施の形態における制御部２００の機能には、音声認識および血圧測定の機能を含む。
【００２８】
通信部２０２はアンテナ２０３を介して基地局と無線通信により接続され、電話やデータの通信機能を有する。本実施の形態では、端末の動作モードとして緊急モード(緊急通報モード）に移行したとき、緊急通報として、所定の通報先に対して、あらかじめ決められたデジタルデータを変調して、高周波データに変換した後、アンテナ２０３に送信する。
【００２９】
表示部２０４は、液晶ディスプレイ等の表示デバイスであり、被介護者の状態（血圧計から送信されたデータ）を表示したり、緊急通報がされていることを表示して、ユーザに伝える機能を有するである。
【００３０】
操作部２０６は、電源キー、テンキー、キャンセルキー等、ユーザが入力を行うための各種の操作キーを有する。特に、本実施の形態では、誤って緊急モードに入った後、緊急通報が行われる前に、緊急通報を停止させるときキャンセルキーにより緊急モードを解除することができる。
【００３１】
メモリ２０８は、各種のプログラムやデータを記憶する記憶部であり、ＣＰＵの作業領域、一時データ記憶領域等も提供する。本実施の形態では、血圧計の正常値、異常値や、音声認識用文言（例えば「助けて」などのキーワード）等も記憶される。
【００３２】
ＲＴＣ部２１０は計時機能およびタイマー機能を有する。
【００３３】
スピーカ２３０は音声等の電気信号を音声として放出する機能を有し、本実施の形態では緊急通報を行うときに警告音等を発生するのに利用する。
【００３４】
マイク１０１は音声を電気信号に変換する機能を有し、被介護者等の音声や周囲で発生する音を収集する。
【００３５】
ＧＰＳ制御部２３４は、位置検出手段の一種であり、ＧＰＳアンテナ２３５を介して複数の衛星と通信し、受信信号の遅延時間を測定して端末１００の現在の位置を算出する。
【００３６】
血圧センサ無線インタフェース（Ｉ／Ｆ）２４０は、血圧センサ１０２と無線通信を行い、測定データを制御部２００に与える機能を有する。この無線インタフェースとしては、Ｂｌｕｅｔｏｏｔｈ（商標）、無線ＬＡＮなどの既存のものを利用することができる。但し、図２（ａ）に示したような携帯型介護用端末１００ａを被介護者の被服などに装着携帯させるような場合、血圧センサ１０２を有線で端末と接続することも可能である。
【００３７】
図４は、本実施の形態における介護用端末１００の主として制御部２００により達成される機能を示すブロック図である。
【００３８】
血圧検出部４１は、血圧センサ１０２からの測定データに基づいて被介護者の血圧を検出し、出力する。この出力は血圧判定部４２に入力され、その血圧が正常範囲内にあるか否かを判定する。但し、本実施の形態では、正常範囲外の血圧が一度検出されても直ちに異常とは判定せず、所定回の測定で連続して正常範囲外となったとき、異常と判定する。
【００３９】
一方、音声認識部４３は、マイク１０１から入力される音声データに対して音声認識処理（音声レベル検出処理を含む）を行い、登録されたキーワードと一致する音声の入力が検出されたこと、あるいは、所定の音量レベルを超える音声が発生したこと、等を認識する。
【００４０】
緊急モード設定部４５は、血圧判定部４２から異常発生を示す信号、または、音声判定部４４から異常発生を示す信号を受けて、緊急モードを設定する。
【００４１】
緊急モードの設定後、所定の時間（例えば、数秒から数十秒程度）の経過後に、緊急モード設定部４５から緊急通報発生指示が出力され、緊急通報発生部４６から通信部２０２を介して、所定の通報先に緊急事態発生のメッセージを伝える。なお、緊急モードへ移行したことは端末からの表示や音の発生によりユーザに報知するようにしておき、ユーザが誤動作や誤操作等の原因により緊急モードへ移行したことに気づいた場合等に前記所定の時間内であれば操作部２０６からの上記キャンセルキー等の指示によりその移行を解除することができる。
【００４２】
図５は本実施の形態における介護用端末１００の処理例を示すフローチャートである。この処理は緊急通報がなされるまでは繰り返して実行される。
【００４３】
ステップＳ１１では音声判定を行う。この例では、音声認識処理および音量検出処理を行う。この詳細処理については図７を参照して後述する。
【００４４】
ステップＳ１２では、ステップＳ１１による音声判定により、異常が検知されたかどうかをチェックする。ここでの「異常」とは、予め登録された所定のキーワードの音声が認識された場合や所定の音量レベルを越える音の発生が検出された場合に相当する。異常が検知された場合には、ステップＳ１６へ進む。
【００４５】
ステップＳ１２で異常が検知されなかった場合、ステップＳ１３で血圧測定のタイミングが到来したと判断されたとき、血圧測定を行う（Ｓ１４）。この詳細処理については図８を参照して後述する。血圧測定のタイミングは、例えば、１０分毎、数十分毎、１時間毎、数時間毎等、種々のタイミングが考えられ、好ましくはユーザが選択または可変設定できるようにする。
【００４６】
ステップＳ１５では血圧の異常が検知されたか否かをチェックする。異常が検知されたらステップＳ１６へ進む。異常が検知されなければ、ステップＳ１１へ戻り、上記処理を繰り返す。
【００４７】
ステップＳ１６では、緊急モードの設定を行う。緊急モードとは本実施の形態では音声判定および血圧判定によって異常が検出された場合に、所定の通報先への通報を行う動作モードである。ここで、ＲＴＣ部２１０によるタイマーを起動し、緊急モードへの移行後の経過時間を計時開始する。ユーザに対しては、スピーカ２３０からの警報音または音声メッセージの発生、表示部２０４でのメッセージの表示等、視覚的および／または聴覚的に緊急モードに移行したことを知らしめる
【００４８】
ついで、ステップＳ１７でＧＰＳ制御部２３４を起動して、端末の現在の位置を測定させる。
【００４９】
ステップＳ１８では、ユーザから上記のようなキャンセルキー等の指示があったかどうかをチェックする。この指示があれば、ステップＳ２１で緊急モードを解除し、ステップＳ１１へ戻る。
【００５０】
ステップＳ１９では緊急モード設定からの経過時間が所定の時間に達したら（タイムアウト）、ステップＳ２０へ進む。所定の時間に達するまでは、ステップＳ１９の解除の指示の入力があるかどうかを監視する。
【００５１】
ステップＳ２０では、所定の通報先へ所定の通報方法で所定のメッセージおよび位置情報の緊急通報を行う。この緊急通報後はこの処理を終了する。この処理終了後は端末の電源オフ／オンやリセット等によりこの処理を再開する。あるいは、ステップＳ２０の後、そのまま、ステップＳ１１へ戻るようにしてもよい。
【００５２】
図６は、本実施の形態における緊急通報の種々の態様を示す。図６（ａ）（ｂ）に示すように、緊急通報は介護用端末から行う場合と、サーバから行う場合がありうる。
【００５３】
図６（ａ）の介護用端末１００から通報を行う場合の通報先は、サーバ１５０、緊急対応組織１８０、個人および会社の電話機１６０の少なくとも一つであり、サーバ１５０に対しては介護用端末からの通報メッセージの中に通報先を特定する情報を含めることができる。あるいは、予め被介護者等毎にユーザ登録で通報先を登録しておけば、通報メッセージ内に通報先の情報を含める必要はない。その通報方法としては、電話による音声メッセージまたはＤＴＭＦ信号、電子メール、ショートメッセージの少なくとも一つである。通知内容は、緊急事態の発生を告げるメッセージおよび端末の介護用端末１００の位置情報である。
【００５４】
図６（ｂ）のサーバ１５０から通報を行う場合は、まず介護用端末１００からサーバ１５０へ緊急通報が行われることを前提とする。サーバ１５０からの通報先は、緊急対応組織１８０、個人および会社の電話機１６０の少なくとも一つである。介護用端末１００から通報が行われる通報先への通報を重ねて行う必要はないが、念のために重複して通報を行うようにしてもよい。サーバ１５０からの緊急通報の通報方法と通知内容は図６（ａ）の場合と同じである。
【００５５】
図７に、図５のステップＳ１１に示した音声判定の具体的な処理例を表すフローチャートを示す。この処理の前提として、絶えず音声をマイクで取り込み、このマイクで取り込んだ信号は、所定の周期でサンプリングしてデジタル信号に変換し、少なくとも最新の所定時間分を記憶する。図７の処理において、所定のレベル以上の音量の発生を検知したとき、音声が発生したと判断する（Ｓ３１，Ｙｅｓ）。この音声は被介護者等の発声した音だけでなく、それ以外の人の声や物音も含みうる。
【００５６】
上記記憶された音声のデジタル信号に対して、既知の音声認識処理を行う（Ｓ３２）。音声認識により何らかの文言が認識された場合には（Ｓ３３，Ｙｅｓ）、その認識された文言が、予め登録されているキーワードと一致するかどうかをチェックする（Ｓ３４）。一致した場合には、異常事態が発生したと判定する（Ｓ３５）。
【００５７】
先のステップＳ３３で音声認識で何らかの文言が認識されなかった場合、あるいは、認識されたがステップＳ３４でその文言が登録キーワードと一致しなかった場合は、ステップＳ３６でその発生音が異常音かどうかをチェックする（Ｓ３６）。異常音とは、例えば、その音量レベルが所定の大音量レベルを超えるような音である。このような異常音の検知時にも異常事態が発生したと判定する（Ｓ３５）。
【００５８】
ステップＳ３６で異常音でないと判定された場合、正常（異常事態の発生はない）と判定する（Ｓ３７）。
【００５９】
次に図８に、図５のステップＳ１４に示した血圧測定の具体的な処理例を表すフローチャートを示す。
【００６０】
上記血圧の測定タイミングで血圧の測定を行い（Ｓ４１）、正常範囲内かどうかをチェックする（Ｓ４２）。この正常範囲内の上下限血圧値は、介護用端末において、被介護者等によって可変設定できるようにすることが好ましい。正常範囲でなかった場合には、直ちにまたは若干の時間をおいて再度血圧を測定する（Ｓ４１）。すなわち、血圧測定タイミング（図５、Ｓ１３）で一旦正常範囲外の血圧が検知された場合には、血圧測定を繰り返す。正常範囲内でない測定結果がｎ回（ｎは２、３、４等、予め定めた正の整数）続いた場合に、異常と判定する（Ｓ４４）。ｎ回連続での測定結果を見るのは、１回の測定で正常範囲外と判定されてもそれは一時的なもので問題がない場合も多いからである。正常範囲外の測定結果がｎ回続く前に正常範囲に戻った場合には（Ｓ４２，Ｙｅｓ）、正常と判断する（Ｓ４５）。但し、このような場合には、次の測定タイミングを定める時間間隔を通常より短く設定するようにしてもよい。時間間隔を短くした後の所定回数の測定タイミングですべて正常範囲内と判定されれば、時間間隔を元に戻す。
【００６１】
図９に介護用端末１００の他の構成例を示すブロック図である。図３に示した要素と同じ要素には同じ参照番号を付し、重複した説明は省略する。この構成例では、例えばＣＣＤのようなデジタル撮像素子を有するカメラ２５１と、このカメラの撮影動作を制御するカメラ制御部２５０とを追加している。カメラ２５１は、被介護者の居住する室内の様子が分かる位置に設置されている。制御部２００は、通信部２０２において外部の通信端末（例えば図１の１６０）からの着信（例えば所定回数の呼び出し音発生後の自動着信）を受け、パスワード等のアクセス権情報および所定の操作情報を受け取ると、カメラ制御部２５０を介してカメラ２５１からの撮影画像を取得し、当該外部の通信端末に送信する。介護用端末１００の電話番号やカメラのアクセス権情報を知らない者（例えば緊急対応組織１８０）に対しては、上記通報メッセージにそのような情報を含めることができる。カメラ２５１は複数台設置し、外部から選択できるようにしてもよい。また、カメラの角度やズームの調整を外部から行えるようにしてもよい。さらには、ソニー株式会社から市販されている犬型ロボットＡＩＢＯ（“ＡＩＢＯ”は登録商標）のような移動可能なロボットに搭載されたカメラを、携帯端末からの電子メールに記載したコマンドにより遠隔的に制御して、撮影画像の返信を受けるようにすることも可能である。あるいは、特定の通報先に対しては外部からのアクセスを待つことなく、介護用端末から自動的に撮影画像を送信するようにしてもよい。
【００６２】
このような図９の構成により、介護用端末から緊急通報があった場合に、その被介護者等の様子を外部から確認することができる。
【００６３】
以上、本発明の好適な実施の形態について説明したが、上記で言及した以外にも種々の変形、変更を行うことが可能である。例えば、音声判定と血圧測定の両方を行う場合を示したが、いずれか一方のみを行うことも可能である。被介護者等の体の異常として血圧異常について説明したが、血圧だけではなく、脈拍や体温などの他の体情報の測定および判定を行うようにしてもよい。位置情報検出はＧＰＳを利用したが、他の任意の位置検出手段を利用することができる。また、被介護者等の位置情報が既知であれば、その情報を通報メッセージ内に予め記憶しておくことにより、位置検出手段自体設ける必要はない。緊急モードへの移行は自動的な場合のみを説明したが、被介護者等が操作可能な場合には手動で緊急モードへの移行を指示する操作手段（例えば操作キー）を設けてもよい。この場合にもキャンセルキーにより緊急モードを解除することができる。
【図面の簡単な説明】
【００６４】
【図１】本発明における緊急通報システムの概略構成例を示す図である。
【図２】本発明における介護用端末の種々の形態を示す図である。
【図３】本発明の実施の形態に係る介護用端末の概略の内部構成を示すブロック図である。
【図４】本発明の実施の形態における介護用端末の主として制御部により達成される機能を示すブロック図である。
【図５】本発明の実施の形態における介護用端末の処理例を示すフローチャートである。
【図６】本発明の実施の形態における緊急通報の種々の態様を示す図である。
【図７】図５のステップＳ１１に示した音声判定の具体的な処理例を表すフローチャートである。
【図８】図５のステップＳ１４に示した血圧測定の具体的な処理例を表すフローチャートである。
【図９】本発明の実施の形態における介護用端末の他の構成例を示すブロック図である。
【符号の説明】
【００６５】
４１…血圧検出部、４２…血圧判定部、４３…音声認識部、４４…音声判定部、４５…緊急モード設定部、４６…緊急通報発生部、１００…介護用端末、１０１…マイク、１０２…血圧センサ、１５０…サーバ、１５５…通信ネットワーク、１６０…電話機、１８０…緊急対応組織、１８１…固定電話機、１８２…自動応答装置、２００…制御部、２０２…通信部、２０３…アンテナ、２０４…表示部、２０６…操作部、２０８…メモリ、２０９…ＲＴＣ部、２１０…制御ライン、２２０…データライン、２３０…スピーカ、２３４…制御部、２３５…アンテナ、２５０…カメラ制御部、２５１…カメラ
【図１】
2006141679.tif 000003
【図２】
2006141679.tif 000004
【図３】
2006141679.tif 000005
【図４】
2006141679.tif 000006
【図５】
2006141679.tif 000007
【図６】
2006141679.tif 000008
【図７】
2006141679.tif 000009
【図８】
2006141679.tif 000010
【図９】
2006141679.tif 000011